(57)【要約】【課題】オンフック検出手段以外に物理的な検出手段を設けなくても過大音を低減できる、オンフック時に発生する過大音を低減させる電話機を提供する。【解決手段】オンフック検出手段で、ハンドセットが電話機に置かれた事を検知した時、音声バッファメモリに残留している未送信の音声データの内、ハンドセットが電話機に置かれた時から所定時間以降の音声データを削除または送信停止することを特徴とする。【選択図】図３
2007110282.tif 000002
【特許請求の範囲】
【請求項１】
ハンドセットと音声バッファメモリを有する電話機において、前記ハンドセットが前記電話機に置かれた事を検出するオンフック検出手段と、前記音声バッファメモリ内に蓄えられた不要な音声データの送信を抑止する不要音声抑止手段を備え、前記オンフック検出手段で、前記ハンドセットが前記電話機に置かれた事を検知した時、前記不要音声抑止手段は、前記音声バッファメモリに残留している未送信の音声データの内、前記ハンドセットが前記電話機に置かれた時から所定時間以降の音声データを削除または送信停止することを特徴とする、オンフック時に発生する過大音を低減させる電話機。
【請求項２】
請求項１記載において、前記電話機本体はＩＰ回線、またはデジタル回線対応のデジタル電話機であることを特徴とする、オンフック時に発生する過大音を低減させる電話機。
【発明の詳細な説明】
【技術分野】
【０００１】
本発明は、オンフック時に過大音を発生する電話機に関する。
【背景技術】
【０００２】
電話を切断する時（オンフック）、乱暴にハンドセットを置いた場合、ハンドセットと電話機筐体の衝突により発生する過大音は音声バッファメモリに蓄えられ、そのまま送信部により送信されていた。そのため、相手に対して、過大音も伝えられていた。
【０００３】
従来、機械的なオンフック検出とは別に新たな物理的な検出手段（電波、光、赤外線による検出）を取り入れて、接触時の過大音をハード的に検出して低減させている（例えば、特許文献１参照）。
【０００４】
【特許文献１】特開２００１−２５７７４４号公報
【発明の開示】
【発明が解決しようとする課題】
【０００５】
しかし、機械的なオンフック検出とは別に新たな物理的な検出手段（電波、光、赤外線による検出）を取り入れる必要があるため、コスト的に問題がある。
【０００６】
本発明の目的は、オンフック検出手段以外に物理的な検出手段を設けなくても過大音を低減できる、オンフック時に発生する過大音を低減させる電話機を提供することにある。
【課題を解決するための手段】
【０００７】
本発明は、ハンドセットと音声バッファメモリを有する電話機において、前記ハンドセットが前記電話機に置かれた事を検出するオンフック検出手段と、前記音声バッファメモリ内に蓄えられた不要な音声データの送信を抑止する不要音声抑止手段を備え、前記オンフック検出手段で、前記ハンドセットが前記電話機に置かれた事を検知した時、前記不要音声抑止手段は、前記音声バッファメモリに残留している未送信の音声データの内、前記ハンドセットが前記電話機に置かれた時から所定時間以降の音声データを削除または送信停止することを特徴とする。
【０００８】
また本発明は、上記記載において、前記電話機本体はＩＰ（Internet Protocol）回線、またはデジタル回線対応のデジタル電話機であることを特徴とする。
【発明の効果】
【０００９】
本発明によれば、オンフック検出手段以外に物理的な検出手段を設けなくても過大音を低減できる、オンフック時に発生する過大音を低減させる電話機を得ることができる。
【発明を実施するための最良の形態】
【００１０】
以下、図面を参照して本発明の実施の形態を詳細に説明する。
【００１１】
図１は、本発明の実施の形態に係る一般的なＩＰ電話機のネットワーク構成図である。図２は、本発明のＩＰ電話機の構成を示す機能ブロック図である。図３は、本発明のＩＰ電話機の動作フローチャートである。図４は、本発明のＩＰ電話機の動作タイミングチャートの一例である。
【００１２】
図１は、本発明の実施の形態に係る一般的なＩＰ電話機のネットワーク構成図である。図１において、１０１は、ＩＰ網を示している。１０２，１０３は、ＰＳＴＮ回線１０６，１０７と、ＬＡＮ回線１０８，１０９とを接続する通信機器であるゲートウェイ装置である。１０４，１０５は、それぞれＩＰ電話機である。１０６，１０７はＩＰ網１０１へのアクセスラインとしてのＰＳＴＮ（Public Switched Telephone Network）回線である。１０８，１０９はＬＡＮ（Local Area Network）回線である。
【００１３】
ＩＰ電話機１０４とＩＰ電話機１０５は、音声をＩＰパケット化してＰＳＴＮ回線１０６，１０７及びＩＰ網１０１を通して送受信する事により音声通話が可能である。
【００１４】
図２は、本発明のＩＰ電話機１０４とＩＰ電話機１０５の構成を示す機能ブロック図である。ＩＰ電話機は、ＬＡＮコネクタ部２０１と、フックＳＷ部２０９と、フック検出部２０８と、ミュート制御部２０７と、制御部２１０と、通信プロトコル部２１１と、ＬＡＮ制御部２０２と、音声バッファメモリ部２０３と、音声ＣＯＤＥＣ部２０４と、音声入力部２０６と、音声出力部２０５と、ハンドセット２１２と、ハンドセット２１２内の送話器２１４と、受話器２１３によって構成されている。
【００１５】
ＬＡＮコネクタ部２０１は、ＬＡＮ回線を接続するコネクタである。
【００１６】
ＬＡＮ制御部２０２は、音声バッファメモリ部２０３に蓄えられた音声データをＩＰパケット化してＬＡＮ回線へ送信できるよう制御する。また、受信方向に関しても同様の制御を行う。
【００１７】
音声バッファメモリ部２０３は、音声データを一時的に蓄える双方向バッファメモリである。
【００１８】
音声ＣＯＤＥＣ部２０４は、入出力される音声データ及び着信音などの符号化，復号化制御を行う。
【００１９】
音声出力部２０５は、音声ＣＯＤＥＣ部２０４からのデジタル音声信号をアナログ音声信号に変換し、ハンドセット２１２内の受話器２１３へ出力する。
【００２０】
音声入力部２０６は、ハンドセット２１２内の送話器２１４から入力されるアナログ音声信号をデジタル音声信号に変換して音声ＣＯＤＥＣ部２０４へ出力する。
【００２１】
ハンドセット２１２内の受話器２１３は、音声出力部２０５からのアナログ音声信号を音声に変換する。
【００２２】
ハンドセット２１２内の送話器２１４は、外部の音声を入力し、音声入力部２０６へアナログ音声信号として出力する。
【００２３】
フックＳＷ部２０９は、オフフック及びオンフックの状態をフック検出部２０８へ通知する。
【００２４】
ここで、通話終了後オンフックする際、フック検出部２０８がオンフックを検出するのに遅延が発生する。このため、オンフック時のハンドセット２１２と電話機のハンドセット置部（図示せず）の衝突による過大音が送話器２１４から入力し音声バッファメモリ部２０３に蓄積される。
【００２５】
そこで、フック検出部２０８は、フックＳＷ部２０９から送られてきた信号によりオンフックを検出すると、ミュート制御部２０７に通知する。
【００２６】
ミュート制御部２０７は、オンフック検出時から、音声バッファメモリ部２０３に蓄えられた過大音データが出力されるまでのΔｔ時間を、予め実測して記憶設定しておき、音声バッファメモリ部２０３に対して、Δｔ時間以降の音声データを削除または送信停止（ミュート処理）する制御を行う。
【００２７】
これにより、ハンドセット２１２と電話機筐体との接触時に発生する過大音を低減できる。
【００２８】
制御部２１０は、ＩＰ電話機全体の制御を司る。
【００２９】
制御部２１０内の通信プロトコル部２１１は、ＳＩＰ（Session Initiation Protocol）などの相手端末との通信制御手順を実行する。
音声バッファメモリ部２０３内に蓄えられた音声データのＩＰパケットへの符号化及び復号化を行う。
【００３０】
図３は、本発明のＩＰ電話機の動作フローチャートである。以下、本発明における過大音低減機能をフローチャートに従って説明する。
【００３１】
ステップ１、オフフック：ハンドセット２１２を上げてフックＳＷ部２０９がオフフック状態となる。
【００３２】
ステップ２、接続：キー操作して接続先（ＩＰアドレス等）を制御部２１０に通知し、通信プロトコル部２１１により相手端末を呼出す。
相手先の電話番号をダイヤルした時に音声ＣＯＤＥＣ部２０４からダイヤルパルスを送出する。
【００３３】
ステップ３、通話開始：相手との接続が完了し、音声通話が開始される。
【００３４】
ステップ４、通話中：通常の音声通話を行っている状態となる。
【００３５】
ステップ５、オンフック検出：ハンドセット２１２が電話機筐体に置かれフックＳＷ部２０９がオンフック状態になった場合、フック検出部２０８がオンフックを検出しステップ６へ進む。もし、フック検出部２０８がオンフック検出をしていない場合は、ステップ４へ進み、通常の音声通話が継続される。
【００３６】
ステップ６：フック検出部２０８でオンフックを検出した事をミュート制御部２０７へ通知する。
【００３７】
ステップ７：ミュート制御部２０７は、音声バッファメモリ部２０３に対して、オンフック検出時から、Δｔ時間以降に、音声バッファメモリ部２０３に残留している音声データを削除または送信停止（ミュート処理）する制御を行う。
【００３８】
ステップ８、切断：オンフック検出時以降も継続されていた音声処理が完了した時点で回線を切断する。
【００３９】
上記のステップ６及びステップ７の機能により、ハンドセット２１２が電話機筐体に置かれた時に発生する過大音を音声バッファメモリ部２０３内で削除または送信停止することにより低減できる。
【００４０】
図４は、本発明のＩＰ電話機の動作タイミングチャートの一例である。以下、本発明における過大音低減機能動作時のタイミングチャートを説明する。
【００４１】
フックＳＷ部２０９の状態が変化したときに、フック検出部２０８によりオンフック検出が行われる。
【００４２】
ハンドセット２１２が電話機筐体に置かれた時（オンフック）、ハンドセット２１２が電話機筐体と衝突し、ハンドセット２１２内の送話器２１４がこの衝突音（過大音）をひろう。
【００４３】
オンフック検出してハンドセット２１２内の送話器２１４が動作停止するまでに発生する過大音がデータＤ，Ｅ，Ｆであり、ハンドセット２１２内の送話器２１４から取り込まれ、音声入力部２０６に入力する。なお、データＡ，Ｂは終話直前の音声データである。
【００４４】
音声入力部２０６に入力された過大音データＤ，Ｅ，Ｆは、音声ＣＯＤＥＣ部２０４を介して音声バッファメモリ部２０３に蓄えられる。
【００４５】
したがってオンフック検出した瞬間には、音声バッファメモリ部２０３内には、過大音であるデータＤ，Ｅ，Ｆが蓄えられておらず、遅延が生じている。
【００４６】
オンフック検出時から、音声バッファメモリ部２０３に蓄えられた過大音データが出力されるまでのΔｔ時間を、予め実測してミュート制御部２０７に記憶設定しておき、オンフック検出時からΔｔ時間以降に、音声バッファメモリ部２０３に蓄えられている過大音データＤ，Ｅ，Ｆを削除または送信停止（ミュート処理）することにより、過大音を低減できる。
【００４７】
以上、ＩＰ電話機を例に本発明の実施の形態を説明した。しかし、本発明はこれに限るものではない。すなわち、入力した音声データを一時蓄積する音声バッファメモリを有する電話機一般に適応可能であり、例えばＩＳＤＮ回線等のデジタル回線用のデジタル電話機にも適用可能である。
【００４８】
さらに、音声バッファメモリは、回線の音声データ伝送速度の変動を吸収する等のためであり、アナログ電話機には不要であるが、アナログ電話機であっても、音声バッファメモリを追加すれば、本発明を適用可能である。
【図面の簡単な説明】
【００４９】
【図１】本発明の実施の形態に係る一般的なＩＰ電話機のネットワーク構成図である。
【図２】本発明のＩＰ電話機の構成を示す機能ブロック図である。
【図３】本発明のＩＰ電話機の動作フローチャートである。
【図４】本発明のＩＰ電話機の動作タイミングチャートの一例である。
【符号の説明】
【００５０】
１０１：ＩＰ網、１０２，１０３：ゲートウェイ装置、１０４，１０５：ＩＰ電話機、１０６，１０７：ＰＳＴＮ回線、１０８，１０９：ＬＡＮ回線、２０１：ＬＡＮコネクタ部、２０２：ＬＡＮ制御部、２０３：音声バッファメモリ部、２０４：音声ＣＯＤＥＣ部、２０５：音声出力部、２０６：音声入力部、２０７：ミュート制御部、２０８：フック検出部、２０９：フックＳＷ部、２１０：制御部、２１１：通信プロトコル部、２１２：ハンドセット、２１３：受話器、２１４：送話器。
【図１】
2007110282.tif 000003
【図２】
2007110282.tif 000004
【図３】
2007110282.tif 000005
【図４】
2007110282.tif 000006